(57)【要約】【課題】引き込み動作を高速化する。【解決手段】同期部２は、復調部１から出力される復調データからの同期パターンの検出により、同期に成功したと判定可能な条件が成立したときに同期信号として「Ｈ」を出力し、同期に成功する見込みがあると判定可能な条件が成立したときにＰｒｅ同期信号として「Ｈ」を出力する。同期に成功したか否かの判定（Ｓｅｑ．４´）が開始されてから所定時間内に、シーケンサ３が「Ｈ」のＰｒｅ同期信号を検出することができなかったときには、同期に成功する見込みがないと判定されて、同期に成功したか否かの判定が放棄され、同期に成功しなかったと判定されたときの移行先であるＳｅｑ．１へ移行する。【選択図】図１
2007184804.tif 000002
【特許請求の範囲】
【請求項１】
データストリームとして入力される復調データからの同期パターンの検出により同期に成功したか否かを判定する同期判定ステップと、
前記同期判定ステップによる同期パターンの検出経過を利用して同期に成功する見込みがあるか否かを判定する同期見込み判定ステップと、
前記同期見込み判定ステップにより同期に成功する見込みがないと判定された場合に、前記同期判定ステップによる判定を放棄し、前記同期判定ステップにより同期に成功しなかったと判定された場合に行われる制御へ移行する同期判定放棄ステップと、
を含むことを特徴とする同期判定方法。
【請求項２】
前記同期見込み判定ステップにより同期に成功する見込みがあると判定された場合に、前記同期判定ステップによる判定を継続する同期判定継続ステップ、
を更に含むことを特徴とする請求項１記載の同期判定方法。
【請求項３】
前記同期判定ステップは、前記データストリームとして入力される復調データから、連続する第１の所定量のデータ中の同期パターンを検出することができたか否かに基づいて、同期に成功したか否かを判定する、
ことを特徴とする請求項１又は２記載の同期判定方法。
【請求項４】
前記同期見込み判定ステップは、前記同期判定ステップによる同期パターンの検出中において、前記連続する第１の所定量のデータよりもデータ量が少ない連続する第２の所定量のデータ中の同期パターンを検出することができたか否かに基づいて、同期に成功する見込みがあるか否かを判定する、
ことを特徴とする請求項３記載の同期判定方法。
【請求項５】
前記同期判定ステップは、同期に成功したか否かの判定を開始してから第１の所定時間内に、前記連続する第１の所定量のデータ中の同期パターンを検出することができたときに同期に成功したと判定する、
ことを特徴とする請求項３又は４記載の同期判定方法。
【請求項６】
前記同期見込み判定ステップは、前記同期判定ステップによる同期に成功したか否かの判定が開始されてから前記第１の所定時間よりも短い第２の所定時間内に、前記連続する第２の所定量のデータ中の同期パターンを検出することができたときに同期に成功する見込みがあると判定する、
ことを特徴とする請求項５記載の同期判定方法。
【請求項７】
データストリームとして入力される復調データからの同期パターンの検出により同期に成功したか否かを判定する同期判定手段と、
前記同期判定手段による同期パターンの検出経過を利用して同期に成功する見込みがあるか否かを判定する同期見込み判定手段と、
を備え、
前記同期見込み判定手段により同期に成功する見込みがないと判定された場合には、前記同期判定手段による判定を放棄し、前記同期判定手段により同期に成功しなかったと判定された場合に行われる制御へ移行する、
ことを特徴とする同期判定装置。
【請求項８】
前記同期見込み判定手段により同期に成功する見込みがあると判定された場合には、前記同期判定手段による判定を継続する、
ことを特徴とする請求項７記載の同期判定装置。
【請求項９】
データストリームとして入力される復調データからの同期パターンの検出により、同期に成功したと判定可能な第１の条件が成立したときには同期信号として前記第１の条件が成立した旨の信号を出力し、同期に成功する見込みがあると判定可能な第２の条件が成立したときにはＰｒｅ同期信号として前記第２の条件が成立した旨の信号を出力する同期パターン検出手段と、
前記同期信号に基づいて同期に成功したか否かを判定し、前記Ｐｒｅ同期信号に基づいて同期に成功する見込みがあるか否かを判定する判定手段と、
を備え、
前記判定手段は、同期に成功したか否かの判定を開始してから所定時間内に、同期に成功する見込みがあると判定することができなかった場合には、同期に成功したか否かの判定を放棄し、同期に成功しなかったと判定された場合に行われる制御へ移行する、
ことを特徴とする同期判定装置。
【請求項１０】
前記判定手段は、同期に成功したか否かの判定を開始してから所定時間内に、同期に成功する見込みがあると判定することができた場合には、同期に成功したか否かの判定を継続する、
ことを特徴とする請求項９記載の同期判定装置。
【発明の詳細な説明】
【技術分野】
【０００１】
本発明は、復調データからの同期パターンの検出により同期に成功したか否かを判定する方法及び装置に関する。
【背景技術】
【０００２】
復調部等を備えた受信装置では、受信波（変調波）が受信され、所定の引き込みシーケンスに従って引き込み動作が行われる。ここで、その引き込みシーケンスの一例を、図４乃至図６を用いて説明する。尚、本説明において復調部は同期検波方式のデジタル復調器とする。
【０００３】
図４は、その引き込みシーケンスの一例を示すフローチャートである。
同図に示したように、まず、シーケンス（以下「Ｓｅｑ．」と表記）１乃至３では、復調部内の電圧制御発振器の発振周波数を受信波（変調波）の搬送波周波数に追従させるための調整制御が、低精度、中精度、及び高精度の順に行われる。すなわち、最初は、調整ステップは荒いが広範囲を調整可能な低精度の調整から始め、次に中精度の調整、そして高精度の調整といった具合に、調整（引き込み）が行われる。
【０００４】
続いて、Ｓｅｑ．４では、復調部から入力される復調データからの同期パターン（例えば同期バイトからなるパターン）の検出が行われ、フレーム同期に成功したか否かの判定が行われる。
【０００５】
尚、このように復調データから同期パターンを検出することについては、例えば特許文献１に記載されている。
Ｓｅｑ．４の判定において、その判定結果がＹｅｓの場合にはＳｅｑ．５へ進み、引き込みシーケンスを完了して監視シーケンスへ移行する。一方、Ｓｅｑ．４の判定結果がＮｏの場合にはＳｅｑ．１へ戻り、Ｓｅｑ．４の判定結果がＹｅｓになるまで上述の処理が繰り返される。
【０００６】
以上のような引き込みシーケンスにおいて、上記のＳｅｑ．４のフレーム同期判定にて復調データから検出される同期パターンを、例えば、図５に示したように、１パケットが２０４バイトで構成され、１フレームが、同期バイト：０ｘＢ８を先頭バイトとする１つのパケットと同期バイト：０ｘ４７をそれぞれ先頭バイトとする７つのパケットとで構成されるビットストリームにおける、それらの同期バイトとした場合、Ｓｅｑ．４の判定では、誤判定を防ぐために、ある程度の数の連続するフレーム中の同期バイトを全て検出する必要がある。この場合、通常なら、連続する５つのフレーム以上の同期バイトを全て検出する必要があると考えられる。
【０００７】
Ｓｅｑ．４のフレーム同期判定では、仮に、連続する５つのフレーム中の同期バイトを全て検出できたときにフレーム同期に成功したと判定するようにしたとしても、Ｓｅｑ．４の開始直後からフレーム同期に成功し始めるとは限らないため、Ｓｅｑ．４の判定に割り当てる期間は、マージンを取って、判定を開始してから最短でフレーム同期に成功したと判定されるまでの時間（この例では連続する５つのフレーム中の同期バイトを全て検出するのに要する時間）の２倍程度の時間に設定される。尚、５つのフレームの検出には、２０４＊８＊５＝８１６０バイト分のデータを必要とし、その８１６０バイト分のデータを収集するためには、１６ＱＡＭ（Quadrature Amplitude Modulation），１．６Ｍｂａｕｄというシステム条件下においては１０ｍｓを要する。
【特許文献１】特開昭５８−１７８６５３号公報
【発明の開示】
【発明が解決しようとする課題】
【０００８】
ところで、このような引き込みシーケンスのシーケンス設計において、フレーム同期に成功したか否かの判定に時間を要する場合には、引き込みシーケンスの周期を制限することになる。
【０００９】
例えば、図４に示した引き込みシーケンスにおいて、図６に示したように、Ｓｅｑ．１に４０ｍｓ、Ｓｅｑ．２に２０ｍｓ、Ｓｅｑ．３に２０ｍｓ、Ｓｅｑ．４に２０ｍｓの時間を割り当てたとすると、Ｓｅｑ．１乃至４の合計時間１００ｍｓ中（１周期中）、２０ｍｓ（２０％）もの時間をＳｅｑ．４の判定に割くことになり、Ｓｅｑ．１乃至３の低中高精度の調整を行うのに８０ｍｓ（８０％）しかないことになる。尚、同図における同期信号は、フレーム同期に成功したと判定可能な条件（例えば連続する５つのフレーム中の同期バイトを全て検出できたこと）が成立したときに「Ｈ」となり、そうでないときには「Ｌ」となる信号である。従って、この同期信号の「Ｈ」を検出することでフレーム同期に成功したと判定される。同図の例では、１周期目のフレーム同期判定ではフレーム同期に成功しなかったが２周期目のフレーム同期判定ではフレーム同期に成功したことがわかる。
【００１０】
上述のように、Ｓｅｑ．４のフレーム同期判定では、ある程度の数の連続するフレーム中の同期バイトを全て検出する必要があり、また、判定を開始してから最短でフレーム同期に成功したと判定されるまでの時間以上の時間がＳｅｑ．４に割り当てられるため、Ｓｅｑ．１乃至４（１周期）に割り当てる時間を一定としていた場合には、Ｓｅｑ．４でのフレームの検出に要する時間が長くなると相対的にＳｅｑ．１乃至３の低中高精度の調整に割り当てる時間が少なくなり、十分な調整が為されない虞がある。従って、十分な調整が為されなかった場合には、フレーム同期に成功する確率が低くなり、引き込みシーケンスを完了するまでの時間（引き込み動作時間）が長くなる傾向になってしまう。
【００１１】
本発明は、上記実情に鑑み、引き込み動作の高速化を可能にする同期判定方法及び同期判定装置を提供することを目的とする。
【課題を解決するための手段】
【００１２】
上記目的を達成するため、本発明の第１の態様に係る同期判定方法は、データストリームとして入力される復調データからの同期パターンの検出により同期に成功したか否かを判定する同期判定ステップと、前記同期判定ステップによる同期パターンの検出経過を利用して同期に成功する見込みがあるか否かを判定する同期見込み判定ステップと、前記同期見込み判定ステップにより同期に成功する見込みがないと判定された場合に、前記同期判定ステップによる判定を放棄し、前記同期判定ステップにより同期に成功しなかったと判定された場合に行われる制御へ移行する同期判定放棄ステップと、を含むことを特徴とする。
【００１３】
また、本発明の第２の態様に係る同期判定方法は、上記第1の態様において、前記同期見込み判定ステップにより同期に成功する見込みがあると判定された場合に、前記同期判定ステップによる判定を継続する同期判定継続ステップ、を更に含むことを特徴とする。
【００１４】
また、本発明の第３の態様に係る同期判定方法は、上記第1又は２の態様において、前記同期判定ステップは、前記データストリームとして入力される復調データから、連続する第１の所定量のデータ中の同期パターンを検出することができたか否かに基づいて、同期に成功したか否かを判定する、ことを特徴とする。
【００１５】
また、本発明の第４の態様に係る同期判定方法は、上記第３の態様において、前記同期見込み判定ステップは、前記同期判定ステップによる同期パターンの検出中において、前記連続する第１の所定量のデータよりもデータ量が少ない連続する第２の所定量のデータ中の同期パターンを検出することができたか否かに基づいて、同期に成功する見込みがあるか否かを判定する、ことを特徴とする。
【００１６】
また、本発明の第５態様に係る同期判定方法は、上記第３又は４の態様において、前記同期判定ステップは、同期に成功したか否かの判定を開始してから第１の所定時間内に、前記連続する第１の所定量のデータ中の同期パターンを検出することができたときに同期に成功したと判定する、ことを特徴とする。
【００１７】
また、本発明の第６の態様に係る同期判定方法は、上記第５の態様において、前記同期見込み判定ステップは、前記同期判定ステップによる同期に成功したか否かの判定が開始されてから前記第１の所定時間よりも短い第２の所定時間内に、前記連続する第２の所定量のデータ中の同期パターンを検出することができたときに同期に成功する見込みがあると判定する、ことを特徴とする。
【００１８】
以上の同期判定方法によれば、同期見込み判定ステップにより同期に成功する見込みがないと判定された場合には、同期判定ステップによる判定が放棄され、同期判定ステップにより同期に成功しなかったと判定された場合に行われる制御へ移行するようになるので、同期に成功する見込みがない場合の、同期に成功したか否かの判定に要する時間を短縮することができる。
【００１９】
尚、本発明は、上記の同期判定方法に限らず、同期判定装置として構成することも可能である。
【発明の効果】
【００２０】
本発明によれば、同期に成功する見込みがない場合の、同期に成功したか否かの判定に要する時間を短縮することができるので、引き込み動作を高速化することができる。
【発明を実施するための最良の形態】
【００２１】
以下、図面を参照しながら本発明の実施の形態を説明する。
図１は、本発明の一実施の形態に係る同期判定装置を含む受信装置の一部構成を示すブロック図である。
【００２２】
同図において、不図示の受信部により受信された受信波（変調波）は、いったん中間周波信号としての受信変調信号に変換され、これが主信号として復調部１に入力される。
復調部１は、同期検波方式のデジタル復調器であり、主信号をデジタル復調して復調データをビットストリームとして出力する。また、復調部１では、シーケンサ３から入力される制御信号の下に、復調部１内の電圧制御発振器の発振周波数を主信号（受信変調信号）の搬送波周波数に追従させるように調整する制御が行われる。
【００２３】
同期部２は、本実施形態に係るフレーム同期判定（詳しくは後述）が開始されてから、復調部１からビットストリームとして入力される復調データからの同期パターンの検出により、フレーム同期に成功したと判定可能な第１の条件が成立したか否かを判定し、第１の条件が成立したと判定したときには同期信号として「Ｈ」を出力し、それ以外は同期信号として「Ｌ」を出力する。また、その第１の条件が成立したか否かの判定中における同期パターンの検出経過を利用して、フレーム同期に成功する見込みがあると判定可能な第２の条件が成立したか否かを判定し、第２の条件が成立したと判定したときにはＰｒｅ同期信号として「Ｈ」を出力し、それ以外はＰｒｅ同期信号として「Ｌ」を出力する。また、同期部２は、復調部１からビットストリームとして入力された復調データを主信号出力として後段へ出力する。
【００２４】
尚、本実施形態において、同期部２が復調データから検出する同期パターンは、前述の図５を用いて説明した同期バイトと同様に、１パケットが２０４バイトで構成され、１フレームが、同期バイト：０ｘＢ８を先頭バイトとする１つのパケットと同期バイト：０ｘ４７をそれぞれ先頭バイトとする７つのパケットとで構成されるビットストリームにおける、それらの同期バイトとする。また、上記の第１の条件は、５つの連続するフレーム中の同期バイトを全て検出することができたこととし、上記の第２の条件は、２つの連続するフレーム中の同期バイトを全て検出することができたこととする。
【００２５】
シーケンサ３は、本実施形態に係る引き込みシーケンスに従って、復調部１へ制御信号を出力する。また、同期部２から入力されるＰｒｅ同期信号と同期信号の状態を検出し、その状態に応じて対応する制御信号を復調部１へ出力する。
【００２６】
次に、このような構成において、本実施形態に係る引き込みシーケンスに従って行われる引き込み動作について説明する。
本実施形態に係る引き込みシーケンスは、フレーム同期判定に係るシーケンスの内容が図４に示したＳｅｑ．４のフレーム同期判定の内容と異なるが、それ以外は図４に示した引き込みシーケンスと基本的に同じである。そこで、本実施形態に係る引き込みシーケンスの説明では、フレーム同期判定に係るシーケンスをＳｅｑ．４´と表記し、それ以外のシーケンスについてはそのままＳｅｑ．１乃至３及びＳｅｑ．５と表記して説明する。
【００２７】
本実施形態に係る引き込みシーケンスにおいて、まず、Ｓｅｑ．１乃至３では、低精度、中精度、及び高精度の順に、復調部１内の電圧制御発振器の発振周波数を主信号（受信変調信号）の搬送波の周波数に追従させるように調整する制御が、シーケンサ３から復調部１へ出力される制御信号の下に行われる。
【００２８】
続いて、Ｓｅｑ．４´では、本実施形態に係るフレーム同期判定が行われる。前述の図４に示したＳｅｑ．４のフレーム同期判定では、フレーム同期に成功したと判定されたときにのみＳｅｑ．１へ戻るものであったが、本実施形態に係るＳｅｑ．４´のフレーム同期判定では、フレーム同期に成功したか否かの判定を行うことに加えて、その判定中に、その途中経過を利用してフレーム同期に成功する見込みがあるか否かも判定し、その見込みがあると判定したときに限りフレーム同期に成功したか否かの判定を継続し、その見込みがないと判定したときにはフレーム同期に成功したか否かの判定を放棄してＳｅｑ．１へ戻るようになっている。すなわち、フレーム同期に成功する見込みがないと判定されたときにも、Ｓｅｑ．１へ戻るようになっている。
【００２９】
より詳しくは、Ｓｅｑ．４´では、当該Ｓｅｑ．４´が開始されてから第１の所定時間内にシーケンサ３が「Ｈ」の同期信号を検出したか否かを判定することによりフレーム同期に成功したか否かを判定し、また、その判定中においては、当該Ｓｅｑ．４´が開始されてから第２の所定時間（但し、第２の所定時間＜第１の所定時間）内にシーケンサ３が「Ｈ」のＰｒｅ同期信号を検出したか否かを判定することによりフレーム同期に成功する見込みがあるか否かを判定する。そして、当該Ｓｅｑ．４´が開始されてから第２の所定時間内にシーケンサ３が「Ｈ」のＰｒｅ同期信号を検出したときには、フレーム同期に成功する見込みがあると判定し、引き続きフレーム同期に成功したか否かの判定を継続する。一方、当該Ｓｅｑ．４´が開始されてから第２の所定時間内にシーケンサ３が「Ｈ」のＰｒｅ同期信号を検出しなかったときには、フレーム同期に成功する見込みがないと判定し、フレーム同期に成功したか否かの判定を放棄してＳｅｑ．１へ戻る。
【００３０】
ここで、図２を用いて、このＳｅｑ．４´のフレーム同期判定の具体例を説明する。
尚、同図では、上述のとおり第２の条件を２つの連続するフレーム中の同期バイトを全て検出することができたこととした場合のＰｒｅ同期信号の例をＰｒｅ同期信号（例１）として示すと共に、第２の条件を３つの連続するパケット中の同期バイトを全て検出することができたこととした場合のＰｒｅ同期信号の例もＰｒｅ同期信号（例２）として併せて示している。
【００３１】
同図に示したように、Ｓｅｑ．４´が開始してから第２の所定時間内に、第２の条件が成立してＰｒｅ同期信号が「Ｈ」となると、フレーム同期に成功する見込みがあると判定され、フレーム同期に成功したか否かの判定がそのまま継続され、そしてＳｅｑ．４´が開始してから第１の所定時間内に、第１の条件（５つの連続するフレーム中の同期バイトを全て検出することができたこと）が成立して同期信号が「Ｈ」となると、フレーム同期に成功したと判定される。
【００３２】
尚、Ｓｅｑ．４´のフレーム同期判定において、フレーム同期に成功したと判定されたときには、Ｓｅｑ．５へ進み、引き込みシーケンスが完了し、監視シーケンスへ移行することとなる。
【００３３】
図３は、本実施形態に係る引き込みシーケンスにおける各Ｓｅｑ．に時間を割り付けて実際に引き込み動作を行わせたときの具体例を示す図である。
本例では、図６に示した割り付けと同様に、Ｓｅｑ．１に４０ｍｓ、Ｓｅｑ．２に２０ｍｓ、Ｓｅｑ．３に２０ｍｓを割り付けると共に、Ｓｅｑ．４´の第１の所定時間として２０ｍｓ、第２の所定時間として１０ｍｓを割り付けたとする。
【００３４】
この場合、図３に示したように、１周期目のＳｅｑ．４´（同図では図面スペースの都合上Ｓ４´と表記）では、当該Ｓｅｑ．４´が開始されてから第２の所定時間内（１０ｍｓ内）にＰｒｅ同期信号が「Ｈ」にならず「Ｌ」のままだったのでフレーム同期する見込みがないと判定され、フレーム同期に成功したか否かの判定が放棄され、Ｓｅｑ．１へ戻る。その後、２周期目のＳｅｑ．４´では、当該Ｓｅｑ．４´が開始されてから第２の所定時間内（１０ｍｓ内）にＰｒｅ同期信号が「Ｈ」になったのでフレーム同期する見込みがあると判定され、フレーム同期に成功したか否かの判定が継続される。そして、その２周期目のＳｅｑ．４´が開始されてから第１の所定時間内（２０ｍｓ内）に同期信号が「Ｈ」になったのでフレーム同期に成功したと判定され、Ｓｅｑ．５へ移行する。
【００３５】
この例の場合、１周期目のＳｅｑ．１乃至３及びＳｅｑ．４´に要した合計時間は９０ｍｓとなり、図６に示した１周期目のＳｅｑ．１乃至４に要した合計時間１００ｍｓと比較すると、１０％も短縮されているのがわかる。
【００３６】
このように、本実施形態に係るＳｅｑ．４´のフレーム同期判定によれば、フレーム同期に成功したか否かの判定中に、その途中経過を利用してフレーム同期に成功する見込みがあるか否かも判定し、そこでフレーム同期に成功する見込みがないと判定されたときには直ぐにＳｅｑ．１へ戻るようにしたので、フレーム同期に成功する見込みがない場合のフレーム同期判定に要する時間を短縮することができ、結果として、引き込みシーケンスを完了するまでに要する時間を短縮することができる。
【００３７】
以上、本実施形態に係る同期判定装置によれば、フレーム同期に成功する見込みがない場合のフレーム同期判定に要する時間を短縮することができるので、引き込み動作を高速化することができる。
【００３８】
以上、本発明について詳細に説明したが、本発明は上記実施形態に限定されず、本発明の要旨を逸脱しない範囲において、各種の改良及び変更を行っても良いのはもちろんである。
【００３９】
（付記１）
データストリームとして入力される復調データからの同期パターンの検出により同期に成功したか否かを判定する同期判定ステップと、
前記同期判定ステップによる同期パターンの検出経過を利用して同期に成功する見込みがあるか否かを判定する同期見込み判定ステップと、
前記同期見込み判定ステップにより同期に成功する見込みがないと判定された場合に、前記同期判定ステップによる判定を放棄し、前記同期判定ステップにより同期に成功しなかったと判定された場合に行われる制御へ移行する同期判定放棄ステップと、
を含むことを特徴とする同期判定方法。
【００４０】
（付記２）
前記同期見込み判定ステップにより同期に成功する見込みがあると判定された場合に、前記同期判定ステップによる判定を継続する同期判定継続ステップ、
を更に含むことを特徴とする付記１記載の同期判定方法。
【００４１】
（付記３）
前記同期判定ステップは、前記データストリームとして入力される復調データから、連続する第１の所定量のデータ中の同期パターンを検出することができたか否かに基づいて、同期に成功したか否かを判定する、
ことを特徴とする付記１又は２記載の同期判定方法。
【００４２】
（付記４）
前記同期見込み判定ステップは、前記同期判定ステップによる同期パターンの検出中において、前記連続する第１の所定量のデータよりもデータ量が少ない連続する第２の所定量のデータ中の同期パターンを検出することができたか否かに基づいて、同期に成功する見込みがあるか否かを判定する、
ことを特徴とする付記３記載の同期判定方法。
【００４３】
（付記５）
前記同期判定ステップは、同期に成功したか否かの判定を開始してから第１の所定時間内に、前記連続する第１の所定量のデータ中の同期パターンを検出することができたときに同期に成功したと判定する、
ことを特徴とする付記３又は４記載の同期判定方法。
【００４４】
（付記６）
前記同期見込み判定ステップは、前記同期判定ステップによる同期に成功したか否かの判定が開始されてから前記第１の所定時間よりも短い第２の所定時間内に、前記連続する第２の所定量のデータ中の同期パターンを検出することができたときに同期に成功する見込みがあると判定する、
ことを特徴とする付記５記載の同期判定方法。
【００４５】
（付記７）
データストリームとして入力される復調データからの同期パターンの検出により同期に成功したか否かを判定する同期判定手段と、
前記同期判定手段による同期パターンの検出経過を利用して同期に成功する見込みがあるか否かを判定する同期見込み判定手段と、
を備え、
前記同期見込み判定手段により同期に成功する見込みがないと判定された場合には、前記同期判定手段による判定を放棄し、前記同期判定手段により同期に成功しなかったと判定された場合に行われる制御へ移行する、
ことを特徴とする同期判定装置。
【００４６】
（付記８）
前記同期見込み判定手段により同期に成功する見込みがあると判定された場合には、前記同期判定手段による判定を継続する、
ことを特徴とする付記７記載の同期判定装置。
【００４７】
（付記９）
前記同期判定手段は、前記データストリームとして入力される復調データから、連続する第１の所定量のデータ中の同期パターンを検出することができたか否かに基づいて、同期に成功したか否かを判定する、
ことを特徴とする付記７又は８記載の同期判定装置。
【００４８】
（付記１０）
前記同期見込み判定手段は、前記同期判定手段による同期パターンの検出中において、前記連続する第１の所定量のデータよりもデータ量が少ない連続する第２の所定量のデータ中の同期パターンを検出することができたか否かに基づいて、同期に成功する見込みがあるか否かを判定する、
ことを特徴とする付記９記載の同期判定装置。
【００４９】
（付記１１）
前記同期判定手段は、同期に成功したか否かの判定を開始してから第１の所定時間内に、前記連続する第１の所定量のデータ中の同期パターンを検出することができたときに同期に成功したと判定する、
ことを特徴とする付記９又は１０記載の同期判定装置。
【００５０】
（付記１２）
前記同期見込み判定手段は、前記同期判定手段による同期に成功したか否かの判定が開始されてから前記第１の所定時間よりも短い第２の所定時間内に、前記連続する第２の所定量のデータ中の同期パターンを検出することができたときに同期に成功する見込みがあると判定する、
ことを特徴とする付記１１記載の同期判定装置。
【００５１】
（付記１３）
データストリームとして入力される復調データからの同期パターンの検出により、同期に成功したと判定可能な第１の条件が成立したときには同期信号として前記第１の条件が成立した旨の信号を出力し、同期に成功する見込みがあると判定可能な第２の条件が成立したときにはＰｒｅ同期信号として前記第２の条件が成立した旨の信号を出力する同期パターン検出手段と、
前記同期信号に基づいて同期に成功したか否かを判定し、前記Ｐｒｅ同期信号に基づいて同期に成功する見込みがあるか否かを判定する判定手段と、
を備え、
前記判定手段は、同期に成功したか否かの判定を開始してから所定時間内に、同期に成功する見込みがあると判定することができなかった場合には、同期に成功したか否かの判定を放棄し、同期に成功しなかったと判定された場合に行われる制御へ移行する、
ことを特徴とする同期判定装置。
【００５２】
（付記１４）
前記判定手段は、同期に成功したか否かの判定を開始してから所定時間内に、同期に成功する見込みがあると判定することができた場合には、同期に成功したか否かの判定を継続する、
ことを特徴とする付記１３記載の同期判定装置。
【００５３】
（付記１５）
前記第１の条件は、前記データストリームとして入力される復調データから、連続する第１の所定量のデータ中の同期パターンを検出することができたことであり、
前記第２の条件は、前記データストリームとして入力される復調データから、前記連続する第１の所定量のデータよりもデータ量が少ない連続する第２の所定量のデータ中の同期パターンを検出することができたことである、
ことを特徴とする付記１３又は１４記載の同期判定装置。
【図面の簡単な説明】
【００５４】
【図１】本発明の一実施の形態に係る同期判定装置を含む受信装置の一部構成を示すブロック図である。
【図２】Ｓｅｑ．４´のフレーム同期判定の具体例を示す図である。
【図３】本発明の一実施の形態に係る引き込みシーケンスにおける各Ｓｅｑ．に時間を割り付けて実際に引き込み動作を行わせたときの具体例を示す図である。
【図４】従来の引き込みシーケンスの一例を示すフローチャートである。
【図５】復調データから検出される同期パターンの一例を示す図である。
【図６】従来の引き込みシーケンスにおける各Ｓｅｑ．に時間を割り付けて実際に引き込み動作を行わせたときの具体例を示す図である。
【符号の説明】
【００５５】
１      復調部
２      同期部
３      シーケンサ
【図１】
2007184804.tif 000003
【図２】
2007184804.tif 000004
【図３】
2007184804.tif 000005
【図４】
2007184804.tif 000006
【図５】
2007184804.tif 000007
【図６】
2007184804.tif 000008